(57)【要約】【課題】装置の稼働率を上げることができ、かつ、オペレータの作業負荷を軽減することができる個人認証カード発行システムを提供することである。【解決手段】識別情報が付与されているカードの記載情報を記憶している記憶手段と、カードに印刷する顔画像を取得する手段と、取得された顔画像を印刷するカードの識別情報を入力する手段と、入力された識別情報に基づき前記記憶手段から対応する記載情報を取得する手段と、取得された記載情報および前記取得された顔画像をカードに印刷する手段と、印刷されたカードが出力される複数のスタッカと、あらかじめ設定される振分条件に基づき前記印刷されたカードを前記複数のスタッカのうちの１つに振分ける手段と、前記印刷を開始する際、前記複数のスタッカの満杯状態を検知する手段と、満杯が検知されると、前記複数のスタッカ内で空いているスタッカを検索し、前記満杯が検知されたスタッカから前記検索した空いているスタッカに出力先を切替える手段とを具備する。【選択図】図１
2014063308.tif 000002
【特許請求の範囲】
【請求項１】
識別情報が付与されている個人認証カードの記載情報を記憶している記憶手段と、
個人認証カードに印刷する人物の顔画像を取得する顔画像取得手段と、
この顔画像取得手段により取得された顔画像を印刷する個人認証カードの識別情報を入力する識別情報入力手段と、
この識別情報入力手段により入力された識別情報に基づき前記記憶手段から対応する記載情報を取得する記載情報取得手段と、
この記載情報取得手段により取得された記載情報および前記顔画像取得手段により取得された顔画像を個人認証カードに印刷する印刷手段と、
この印刷手段により印刷された個人認証カードが出力される複数のスタッカと、
あらかじめ設定される振分条件に基づき前記印刷手段で印刷された個人認証カードを前記複数のスタッカのうちの１つに振分ける振分手段と、
前記印刷手段の印刷を開始する際、前記複数のスタッカの満杯状態を検知する満杯検知手段と、
この満杯検知手段により満杯が検知されると、前記複数のスタッカ内で空いているスタッカを検索し、前記満杯が検知されたスタッカから前記検索した空いているスタッカに出力先を切替える出力先スタッカ切替手段と、
を具備する個人認証カード発行システム。
【請求項２】
識別情報が付与されている個人認証カードの記載情報を記憶している記憶手段と、
個人認証カードに印刷する人物の顔画像を取得する顔画像取得手段と、
この顔画像取得手段により取得された顔画像を印刷する個人認証カードの識別情報を入力する識別情報入力手段と、
この識別情報入力手段により入力された識別情報に基づき前記記憶手段から対応する記載情報を取得する記載情報取得手段と、
この記載情報取得手段により取得された記載情報および前記顔画像取得手段により取得された顔画像を個人認証カードに印刷する印刷手段と、
この印刷手段により印刷された個人認証カードが出力される複数のスタッカと、
あらかじめ設定される振分条件に基づき前記印刷手段で印刷された個人認証カードを前記複数のスタッカのうちの１つに振分ける振分手段と、
前記複数のスタッカの状態をテーブルデータとして保持するスタッカ状態テーブルと、
前記印刷手段の印刷を開始する際、印刷するデータに基づき前記スタッカ状態テーブルのデータを更新することにより、前記複数のスタッカの満杯状態を検知する満杯検知手段と、
この満杯検知手段により満杯が検知されると、前記スタッカ状態テーブルを参照することにより前記複数のスタッカ内で空いているスタッカを検索し、前記満杯が検知されたスタッカから前記検索した空いているスタッカに出力先を切替える出力先スタッカ切替手段と、
を具備する個人認証カード発行システム。
【請求項３】
前記出力先スタッカ切替手段により前記満杯が検知されたスタッカから前記検索した空いているスタッカに出力先を切替えた際、前記印刷手段により仕切カードを印刷し、この印刷した仕切カードを前記検索した空いているスタッカに出力することにより、出力先が変更になった個人認証カードと出力先を変更していない個人認証カードとを区分けることを特徴とする請求項１または請求項２記載の個人認証カード発行システム。
【請求項４】
前記仕切カードは個人認証カードとは異なる色で形成され、かつ、出力元スタッカの識別情報が印刷されていることを特徴とする請求項３記載の個人認証カード発行システム。
【発明の詳細な説明】
【技術分野】
【０００１】
本発明の実施形態は、運転免許証や身分証明書などの個人認証カードを発行する個人認証カード発行システムに関する。
【背景技術】
【０００２】
一般に、この種の個人認証カード発行システムは、個人認証カード（以降、単にカードとも言う）に記載する記載情報などを管理するホスト装置（コンピュータ）、申請者の顔画像を撮影したりＩＤ番号（識別情報）を入力したりする撮影部、カードを印刷する印刷部を備えていて、カード発行までの処理は以下のようになっている。
【０００３】
１．撮影部にてＩＤ番号を入力し、申請者の顔画像を撮影する。
【０００４】
２．撮影部は、入力したＩＤ番号をキーとして、ホスト装置に対し発行するカードに印刷する記載情報を要求し、記載情報を取得する。
【０００５】
３．撮影部は、入力したＩＤ番号、撮影した顔画像、取得した記載情報および振分条件を印刷部に送信し、カードの印刷を要求する。
【０００６】
４．印刷部は、受信した振分条件に対応するスタッカを振分条件ファイルから決定する。
【０００７】
５．印刷部は、受信したＩＤ番号、顔画像、記載情報を使用してカードを印刷し、決定したスタッカにカードを出力する。
【０００８】
しかし、上記した従来技術には以下のような問題点がある。  
１．あらかじめ決定した振分条件ごとにスタッカを振分けることは可能だが、振分先のスタッカの状態が考慮されておらず、出力先スタッカが満杯になり出力できない事態が発生した場合、装置が停止してしまう。
【０００９】
２．装置が停止してしまうと、出力先スタッカの状態が満杯ではないカードの印刷も停止してしまう。
【００１０】
３．、停止した場合は、オペレータによる復帰操作が必要となり、常に装置のそばにいる必要がある。
【００１１】
４．出力先スタッカのカード集積状態を確認する術が、スタッカを覗く以外存在せず、カード集積状態の把握が容易ではないため、満杯に気づきにくい。
【先行技術文献】
【特許文献】
【００１２】
【特許文献１】特開平８−１０１９２９号公報
【発明の概要】
【発明が解決しようとする課題】
【００１３】
本発明が解決しようとする課題は、装置の稼働率を上げることができ、かつ、オペレータの作業負荷を軽減することができる個人認証カード発行システムを提供することである。
【課題を解決するための手段】
【００１４】
実施形態に係る個人認証カード発行システムは、識別情報が付与されている個人認証カードの記載情報を記憶している記憶手段と、個人認証カードに印刷する人物の顔画像を取得する顔画像取得手段と、この顔画像取得手段により取得された顔画像を印刷する個人認証カードの識別情報を入力する識別情報入力手段と、この識別情報入力手段により入力された識別情報に基づき前記記憶手段から対応する記載情報を取得する記載情報取得手段と、この記載情報取得手段により取得された記載情報および前記顔画像取得手段により取得された顔画像を個人認証カードに印刷する印刷手段と、この印刷手段により印刷された個人認証カードが出力される複数のスタッカと、あらかじめ設定される振分条件に基づき前記印刷手段で印刷された個人認証カードを前記複数のスタッカのうちの１つに振分ける振分手段と、前記印刷手段の印刷を開始する際、前記複数のスタッカの満杯状態を検知する満杯検知手段と、この満杯検知手段により満杯が検知されると、前記複数のスタッカ内で空いているスタッカを検索し、前記満杯が検知されたスタッカから前記検索した空いているスタッカに出力先を切替える出力先スタッカ切替手段とを具備する。
【図面の簡単な説明】
【００１５】
【図１】実施形態に係る個人認証カード発行システムの構成を概略的に示すブロック図。
【図２】実施形態に係る撮影部の概略構成を示すブロック図。
【図３】実施形態に係る印刷部の概略構成を示すブロック図。
【図４】実施形態に係る振分条件ファイルの構成を示す図。
【図５】実施形態に係るスタッカ状態テーブルの構成を示す図。
【図６】実施形態に係る図５中のスタッカ状態の意味を説明する図。
【図７】実施形態に係るカード発行処理について説明するフローチャート。
【図８】実施形態に係る図７の印刷部における出力先スタッカ振分処理について説明するフローチャート。
【図９】実施形態に係る印刷部におけるスタッカ出力例を示す模式図。
【図１０】実施形態に係る印刷部におけるホッパの一例を示す模式図。
【図１１】実施形態に係る仕切カードの一例を示す模式図。
【図１２】実施形態に係るスタッカ状態テーブル更新処理について説明するフローチャート。
【図１３】実施形態に係る物理的スタッカのカード有無状態確認について説明するフローチャート。
【図１４】実施形態に係る印刷部におけるスタッカ出力例の別の例を示す模式図。
【発明を実施するための形態】
【００１６】
以下、実施形態に係る個人認証カード発行システムについて図面を参照して説明する。
【００１７】
図１は、実施形態に係る個人認証カード発行システムの構成を概略的に示すものである。個人認証カード発行システムは、個人認証カード（たとえば、運転免許証や身分証明書など）を発行するもので、カードに記載する記載情報（ＩＤ番号、カード番号、交付年月日、住所、氏名など）などを管理するホスト装置（コンピュータ）１、ホスト装置１と通信回線２を介して通信を行なうモデム３、申請者の顔画像を撮影したりＩＤ番号（識別情報）を入力したりする例えば２つの撮影部（１）４ａ〜（２）４ｂ（以降、総称して撮影部４とも言う）、カードを印刷する印刷部５、モデム３と撮影部４ａ，４ｂと印刷部５を互いに通信可能に接続する専用回線６を有して構成される。
【００１８】
撮影部４は、カード発行に関わる一連のデータ制御を実施し、撮影部４で入力および撮影した顔画像と、モデム３を介してホスト装置１から記載情報を取得し、印刷部５に対してカードの発行を要求する。
【００１９】
図２は、撮影部４の概略構成を示している。  
撮影部４は、全体の制御を司るＣＰＵ（セントラル・プロセッシング・ユニット）１１、撮影した顔画像や受信した記載情報などを保持するハードディスク装置１２、モデム３や印刷部５と通信するための通信インタフェイス（Ｉ／Ｆ）１３、申請者の顔画像を撮影するカメラ（撮影手段）１４、ＩＤ番号を入力するためのキーボード１５、ＩＤ番号を入力するための光学式文字読取装置（ＯＣＲ）１６、撮影した顔画像や障害情報などを表示するモニタ１７から構成されている。
【００２０】
図３は、印刷部５の概略構成を示している。  
印刷部５は、全体の制御および出力先スタッカの決定を司るＣＰＵ２１、撮影部４から受信した顔画像や記載情報などを保持するハードディスク装置２２、モデム３や撮影部４と通信するための通信インタフェイス（Ｉ／Ｆ）２３、印刷に使用する未発行状態（生）のカードが保管されている例えば３つのホッパ（１）２４ａ〜（３）２４ｃ（以降、総称してホッパ２４とも言う）、ホッパ２４からカードを取得して印刷する印刷処理部２５、印刷されたカードを出力する例えば３つのスタッカ（１）２６ａ〜（３）２６ｃ（以降、総称してスタッカ２６とも言う）、障害情報などを表示するモニタ２７、振分条件ファイル２８、スタッカ状態テーブル２９から構成されている。
【００２１】
振分条件ファイル２８は、作成するカードをどのスタッカ（２６ａ，２６ｂ、２６ｃ）に出力するかを決める条件を管理する情報が記憶されるもので、その具体例を図４に示すように、条件、出力先スタッカ番号からなっている。
【００２２】
スタッカ状態テーブル２９は、スタッカ２６の状態をテーブルデータとして保持し、印刷するデータに基づき逐一更新されるもので、その具体例を図５に示すように、スタッカ番号、スタッカ状態、集積枚数、振分先スタッカ番号からなっている。なお、図５中のスタッカ状態の意味は図６を参照されたい。
【００２３】
次に、このような構成においてカード発行処理について図７に示すフローチャートを参照して説明する。
【００２４】
まず、撮影部４において、キーボード１５あるいは光学式文字読取装置（ＯＣＲ）１６を使用してＩＤ番号を入力するとともに、カメラ１４により申請者の顔画像を撮影し、撮影した顔画像をハードディスク装置１２に保存する。
【００２５】
次に、撮影部４は、入力したＩＤ番号をキーとして、モデム３を介してホスト装置１に照会し、発行するカードに印刷する記載情報を要求することで、ホスト装置１から記載情報を取得する。
【００２６】
次に、撮影部４は、印刷部５に対して、入力したＩＤ番号、撮影した顔画像、取得した記載情報および振分条件を送信し、カードの印刷を要求する。  
印刷部５は、振分条件ファイル２８および受信した振分条件を基に出力先スタッカを決定する（出力先スタッカ振分処理）。
【００２７】
次に、印刷部５は、印刷処理部２５にてホッパ２４からカードを取出し、取出したカードに対し受信したＩＤ番号、顔画像、記載情報などを印刷し、印刷したカードを決定したスタッカ２６に出力（排出）する。
【００２８】
次に、図７の印刷部５における出力先スタッカ振分処理について図８に示すフローチャートを参照して説明する。
【００２９】
撮影部４から印刷するためのデータを受信したタイミングで開始され、本処理の結果を受けて印刷部５にて印刷が行なわれる。
【００３０】
まず、撮影部４から受信した振分条件に基づいて、出力先スタッカ番号を仮決定する（ステップＳ１）。次に、スタッカ状態テーブル２９を参照し、仮決定した出力先スタッカ番号のスタッカの状態と振分先スタッカ番号を確認する（ステップＳ２）。
【００３１】
次に、確認した振分先スタッカ番号とスタッカ状態に基づき処理する（ステップＳ３）。なお、スタッカ状態は図５のスタッカ状態一覧にある状態が存在し、各状態の意味は図６の説明を参照。
【００３２】
まず、振分先スタッカ番号が存在する場合、出力先スタッカを振分先スタッカ番号とし、ステップＳ１１以降の処理を行なう。
【００３３】
次に、スタッカ状態が「使用中」、「未使用」、「待機」の場合、スタッカが満杯でなく、そのままのスタッカが使用できるため、仮決定したスタッカ番号を本決定とし（ステップＳ４）、ステップＳ１１以降の処理を行なう。
【００３４】
次に、スタッカ状態が「切替中」の場合、満杯となり出力先が変更になったカードと出力先を変更していないカードとが混在してしまうため、該当データを印刷待機させるため、印刷待機キューに積み（ステップＳ５）、当該処理を終了する。印刷待機キューに積まれたデータは、後述するスタッカクリアの検知処理にて、スタッカの状態が変化し、出力できる状態になった場合に印刷が再開される。
【００３５】
次に、スタッカ状態が「満杯」の場合、スタッカは満杯であり出力できないため、他の全てのスタッカ状態を確認し、出力先変更ができるスタッカを検索する。
【００３６】
すなわち、まず全てのスタッカ状態の確認が終了しているか否かをチェックし（ステップＳ６）、終了していない場合はスタッカ状態テーブル２９を参照することで、別のスタッカの状態を確認する（ステップＳ７，Ｓ８）。
【００３７】
この確認の結果、スタッカ状態が「使用中」、「満杯」、「切替中」の場合、スタッカに出力されるカード（出力先が変更になったカードと出力先を変更していないカード）が混在してしまうため、本スタッカを出力先スタッカとして使用できず、そのためステップＳ６に戻り、他のスタッカ状態を確認する。
【００３８】
上記確認の結果、スタッカ状態が「未使用」、「待機」の場合、スタッカを使用していない状態で、満杯でもないため本スタッカを出力先スタッカとして本決定する（ステップＳ９）。
【００３９】
この場合、他のカード（出力先が変更になったカードと出力先を変更していないカード）と混在してしまうため、区分けするための仕切カード３１を印刷し、本決定したスタッカに出力することで、既にスタックされているカードと振分処理されたカードとの区分けを実施する。その後、ステップＳ１１以降の処理を行なう。本処理で仕切カード３１を印刷し、スタックされた時のイメージを図９に示す。
【００４０】
ステップＳ６の確認の結果、全てのスタッカ状態の確認が終了している場合（検索できなかった場合）、該当データを印刷待機させるため印刷待機キューに積み（ステップＳ５）、当該処理を終了する。
【００４１】
ステップＳ１１では、本決定したスタッカを指定して印刷処理部２５でカードの印刷を開始する。次に、スタッカ状態テーブル２９の更新処理を実施する（ステップＳ１２）。
【００４２】
なお、仕切カード３１は、印刷部５のホッパ（１）２４ａ〜（３）２４ｃのうち、たとえば、ホッパ（３）２４ｃを仕切カード専用のホッパとし、ここに保存されている。図１０にホッパの一例を示す。
【００４３】
印刷部５の印刷処理部２５は、仕切カード３１を印刷する場合、仕切カード専用ホッパ２４ｃからカードを取得して印刷する。  
仕切カード３１は、通常カードとは別の色で形成されており、見ると違いが判断できるようになっている。また、仕切カード３１は、図１１に示すように、振分元スタッカの番号３２を印刷することで、振分元が分かるようになっている。
【００４４】
上記処理により、仮決定したスタッカが満杯の場合、他の空いているスタッカへ振分でき、仕切カード３１を使用することにより、振分元スタッカを容易に特定できるようになる。
【００４５】
次に、出力先スタッカ振分処理に必要不可欠な事前に満杯を検知する方法をスタッカ状態テーブル更新処理として、図１２に示すフローチャートを参照して説明する。
【００４６】
まず、スタッカ状態テーブル２９の該当スタッカ番号の集積枚数を「＋１」する（ステップＳ２１）。次に、該当スタッカ番号の集積枚数が最大数に達したか確認する（ステップＳ２２）。
【００４７】
この確認の結果、最大数に達した場合、該当スタッカ番号のスタッカ状態を「満杯」に変更し（ステップＳ２３）、当該処理を終了する。上記確認の結果、最大数に達していない場合、該当スタッカ番号のスタッカ状態を確認する（ステップＳ２４）。
【００４８】
この確認の結果、「未使用」、「待機」以外の場合（「使用中」、「満杯」、「切替中」の場合）、スタッカ状態はそのままとし（ステップＳ２５）、当該処理を終了する。上記確認の結果、「未使用」の場合、該当スタッカにカードが混在することはないためスタッカ状態を「使用中」に変更し（ステップＳ２６）、当該処理を終了する。
【００４９】
上記確認の結果、「待機」の場合、スタッカを決定したタイミングを確認し（ステップＳ２７）、仮決定したスタッカがそのまま本決定になった場合（ステップＳ４の場合）は、該当スタッカにカードが混在することはないため、スタッカ状態を「使用中」に変更し（ステップＳ２６）、当該処理を終了する。
【００５０】
仮決定したスタッカが本決定したスタッカと違う場合（ステップＳ９の場合）、該当スタッカにカードが混在するためスタッカ状態を「切替中」に変更し（ステップＳ２８）、当該処理を終了する。
【００５１】
上記処理により、スタッカ状態テーブル２９を逐一更新することにより、出力先スタッカ振分処理で満杯検知が可能となる。
【００５２】
次に、満杯の状態からスタッカ２６がクリアされたことを検知する方法について説明する。  
満杯をクリアする手段は、オペレータがスタッカ２６からカードを抜き取ることで行なわれる。スタッカ２６の左右に設置された光学センサによりカードの有無を検知して、クリア検知とする。その場合、光学センサがカードで光を遮られている場合はカード有りとなり、満杯がクリアされていないと判断する。光学センサが光を遮られていない場合はカードなしとなり、満杯がクリアされたと判断する。
【００５３】
この確認を定期的に実施することで、スタッカ２６の状態変化を検知する。検知した場合のスタッカ状態テーブル２９の更新処理を、図１３に示すフローチャートを参照して説明する。
【００５４】
まず、全ての物理的スタッカのカード有無を確認する（ステップＳ３１，Ｓ３２）。この確認の結果、カードありの場合、スタッカ状態テーブル２９の該当スタッカ番号のスタッカ状態は変更せず（ステップＳ３３）、当該処理を終了する。
【００５５】
上記確認の結果、カードなしの場合、スタッカ状態テーブル２９の該当スタッカ番号のスタッカ状態を「未使用」に変更、集積枚数を「０」に変更、振分先スタッカ番号を「なし」に変更し（ステップＳ３４，Ｓ３５）、当該処理を終了する。
【００５６】
ただし、元のスタッカ状態が「満杯」であった時は、該当スタッカが使用できるようになるため、振分処理終了の区分けをする仕切カード３１を、振分先スタッカ番号に印刷し（ステップＳ３６）、振分先スタッカ状態を「待機」に変更する（ステップＳ３７）。なお、本処理で仕切カード３１を印刷しスタックされた時のイメージを図１４に示す。
【００５７】
上記処理により、満杯となったスタッカ２６の使用再開を検知し、振分処理を終了することが可能となる。また、仕切カード３１を使用することにより、振分元スタッカを容易に特定できるようになる。
【００５８】
以上のように、出力先スタッカ振分処理、スタッカ状態テーブル更新処理、スタッカ状態検知処理を行なうことで、以下を実現可能となる。
【００５９】
１．スタッカが満杯になった場合に、他の空いているスタッカに振分け、印刷処理を継続できる。
【００６０】
２．仕切カードを印刷することで、振分元のスタッカを容易に判別可能となり、既存機能のスタッカ切替処理を損なうことなく、自動で振分処理できる。
【００６１】
３．満杯がクリアされたことを検知し、振分処理を終了し、元のスタッカに出力することができる。
【００６２】
４．自動振分処理により、装置が停止する頻度を減らすことができる。
【００６３】
以上述べた少なくとも１つの実施形態の個人認証カード発行システムによれば、スタッカの満杯を事前に検知し、満杯になったスタッカへの出力を別の空いているスタッカへ自動的に切換えることにより、スタッカが満杯になっても、他の空いているスタッカが存在すれば印刷処理が継続でき、かつ、振分元のスタッカがどこか容易に確認でき、既存機能のスタッカ切替機能を損なうことはない。さらに、１つのスタッカが満杯になっても印刷処理が継続できるため、装置の稼働率を上げることができ、かつ、オペレータの復帰操作の作業軽減が図れる。
【００６４】
また、事前にスタッカ満杯を検知して装置を停止することなく自動的にスタッカを切替えできる。また、切替えた場合は仕切カードを使用することにより、既存機能のスタッカ切替機能を損なうことはない。
【００６５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行なうことができる。これら実施形態やその変形は、発明の範囲や要旨に含まれると同様に、特許請求の範囲に記載された発明とその均等の範囲に含まれるものである。
【符号の説明】
【００６６】
１…ホスト装置（コンピュータ）、２…通信回線、３…モデム、４ａ，４ｂ…撮影部（１），（２）、５…印刷部、６…専用回線、２６ａ〜２６ｃ…スタッカ（１）〜（３）、２８…振分条件ファイル、２９…スタッカ状態テーブル。
【図１】
2014063308.tif 000003
【図２】
2014063308.tif 000004
【図３】
2014063308.tif 000005
【図４】
2014063308.tif 000006
【図５】
2014063308.tif 000007
【図６】
2014063308.tif 000008
【図７】
2014063308.tif 000009
【図８】
2014063308.tif 000010
【図９】
2014063308.tif 000011
【図１０】
2014063308.tif 000012
【図１１】
2014063308.tif 000013
【図１２】
2014063308.tif 000014
【図１３】
2014063308.tif 000015
【図１４】
2014063308.tif 000016